(57)【要約】【課題】  本発明は、開運等道しるしとなす、道しるべ、案内、願い事、証明（氏名、住所）等種々の認識に関与する事が出来る商品を提供することにある。【解決手段】  玉、珠（じゅず）又は形状構造を持つ部品、又は玉、珠（じゅず）又は形状構造を持つ部品を装備品に所持、又は構成されて成す装備品の該品々に於いて、それらに、開閉、又は封止、又は解放、又は留める、又は出入可能な部分、又は部品を設置することを特徴とする装備品に形状、機能（材質）、構造等々を構成して開運又は道しるしとなす商品とする。【選択図】  図１
2017070495.tif 000002
【特許請求の範囲】
【請求項１】
玉、珠（じゅず）又は形状構造を持つ部品、又は玉、珠（じゅず）又は形状構造を持つ部品を装備品に所持、又は構成されて成す装備品の該品々に於いて、それらに、開閉、又は封止、又は解放、又は留める、又は出入可能な部分、又は部品を設置することを特徴とする該商品。
【請求項２】
玉、珠（じゅず）又は形状構造を持つ部品、又は玉、珠（じゅず）又は形状構造を持つ部品を装備品に所持、又は構成されて成す装備品の該品々に於いて、それらに、空間、空洞、又は空室を所持する構成、構造、又は機能を設けた事を特徴とする該商品
【請求項３】
請求項１、又は請求項２の少なくても何れか１つに記載の特徴とする商品に於いて、ストレート線、螺子、突出、凹凸、溝、鉤、連結、留め型、弁、蓋、栓、キャップ、又は封止具等々が（示す）表わす如くの種々雑多な形状、機能、構成、構造、又は作用を単数、複数に備えた事を特徴とする該商品。
【請求項４】
請求項１、２又は請求項３の少なくても何れか１つに記載の特徴に於いて、透明性を所持する事を特徴とする該商品。
【発明の詳細な説明】
【技術分野】
【０００１】
本発明は、装備品に関するものである。
【背景技術】
【０００２】
現在、特定装備に関与に関する機能、構造において装備品は、まだまだ該開発のその必要に迫われている。
【先行技術文献】
【特許文献】
【０００３】
【特許文献１】登録実用新案登録題３０９２６３１号公報
【特許文献２】特開２０１４−１０８３６２号公報
【特許文献３】特開２０１４−１０４３３２号公報
【発明の概要】
【発明が解決しようとする課題】
【０００４】
しかし、該装備品において、装備品は現在装飾を重きに於いて為させているのみで、機能、構成、構造の設定、又は人の役に立つ物とする等々の他種々、種類における等の該対策がなされていない欠点があった。
【課題を解決するための手段】
【０００５】
解決しようとする問題点は、装備品に機能、構成、構造、作用の設定、又は人の役に立つ物等々の他種々、種類における等の該対策の点である
【０００６】
上記目的を達成するために本発明の請求項１は、玉、珠（じゅず）又は形状構造を持つ部品、又は玉、珠（じゅず）又は形状構造を持つ部品を装備品に所持、又は構成されて成す装備品の該品々に於いて、それらに、開閉、又は封止、又は解放、又は留める、又は出入可能な部分、又は部品を設置することを特徴とする該商品。
玉、珠（じゅず）又は形状構造を持つ部品を、（例えばストラップ、指輪、ブレスレット、イヤリング、耳輪、ネックレス、足環、リング、装飾品等々種々雑多を含む事も指す）装備品に所持、又はこれら（例えばストラップ、指輪、ブレスレット、イヤリング、耳輪、ネックレス、足環、リング、装飾品等々種々雑多を含む事も指す）を構成されて成す装備品の該品々に於いて、それらに、開閉、又は封止、又は解放、又は留める、又は（自在に）出入可能な、部分、又は部品を設置することを特徴とする該商品。
【０００７】
上記目的を達成するために本発明の請求項２は、玉、珠（じゅず）又は形状構造を持つ部品、又は玉、珠（じゅず）又は形状構造を持つ部品を装備品に所持、又は構成されて成す装備品の該品々に於いて、それらに、空間、空洞、又は空室を所持する構成、構造、又は機能を設けた事を特徴とする該商品。
玉、珠（じゅず）又は形状構造を持つ部品を装備品に所持、又は構成されて成す装備品の該品々（例えばストラップ、指輪、ブレスレット、イヤリング（耳輪）、ネックレス、足環、リング、装飾品等々種々雑多を含む事も指す）に於いて、それらに、空間、空洞、又は空室を所持する構成、構造、又は機能を設けた事を特徴とする該商品。
玉、珠（じゅず）又は形状構造を持つ部品を装備品に所持、又は構成されて成す装備品に、空間を所持する構造の、該空間に出入可能な部分、又は該空間所持の部品に於いて、該空間に、品等々を添付、内蔵、又は入れ込む事を為した後に、該空間を封止する事が出来る商品と成す事も出来る。該空間には、御札、道しるし、案内、願い事、証明（氏名、住所）種々等々を種々のものに示す該認識に関与する等を入れ込む装備品と成す、（装飾装添着品）
【０００８】
上記目的を達成するために本発明の請求項３は、請求項１、又は請求項２の少なくても何れか１つに記載の特徴とする商品に於いて、ストレート線、螺子、突出、凹凸、溝、鉤、連結、留め型、弁、蓋、栓、キャップ、又は封止具等々が（示す）表わす如くの種々雑多な形状、機能、構成、構造、又は作用を単数、複数に備えた事を特徴とする該商品。ストレート線、螺子、突出、凹凸、溝、鉤、連結、留め型、弁、蓋、栓、キャップ、又は封止具等々が（示す）表わす如くの種々雑多な形状、機能、構成、構造、又は作用を単数、複数に備えた事を特徴とする該商品を請求項３は、請求項１、又は請求項２の少なくても何れか１つに記載する商品。上記記載の該空間に出入可能な部分、又は該空間所持の部品に於いて、該空間に、品等々を添付、内蔵、又は入れ込む事を為した後に、該空間を封止する事が出来る商品と成す事も出来る。該空間には、御札、道しるし、案内、願い事、証明（氏名、住所）種々等々を種々のものに示す該認識に関与する等を入れ込む装備品と成す該装備品において、例えば、複数の装備品（装飾装添着品）等々と又該装備品等々をも連結して、ブレスレットとした構造の装備品（装飾装添着品）と為し形状、機能、構造、又は作用の構成を設けた。又蓋、栓、キャップ、又は封止具を、該空間に出入可能な部分に設けて、該空室に内入した品等々が紛失、流失しない様にする該形状、機能、構造、又は作用の構成を設けた。
【０００９】
上記目的を達成するために本発明の請求項４は、請求項１、２、又は請求項３の少なくても何れか１つに記載の特徴に於いて、透明性を所持する事を特徴とする該商品。
上記記載等々の特徴の該商品に透明性を所持する事を請求項１、２、又は請求項３に単数又は複数に設ける事を特徴とする商品。又上記記載３つ（請求項１、２、３）の少なくても何れか１つに記載に於いて、透明性のある材料を持たせた機能形態をなす事を特徴とする。
即ち、上記記載等々を透明することによって必要とする入填の種々目的に於ける、該各々該機能形態構造構成（透明性）等の入填の記憶、記載、添付等々の内容が分かるので道しるし、案内、願い事、証明（氏名、住所）等種々の記しを明確にする事が出来る。又該商品に透明性のシールを添付して、又該シールを透明性のある材料を持たせた機能形態をなす事も出来る特徴を有する。
【発明の効果】
【００１０】
以上の説明から明らかのように、本発明にあっては次に列挙する効果が得られる。
（１）請求項１に於いては、
玉、珠（じゅず）又は形状構造を持つ部品を、（例えばストラップ、指輪、ブレスレット、イヤリング、耳輪、ネックレス、足環、リング、装飾品等々種々雑多を含む事も指す）装備品に所持、又はこれら（例えばストラップ、指輪、ブレスレット、イヤリング、耳輪、ネックレス、足環、リング、装飾品等々種々雑多を含む事も指す）を構成されて成す装備品の該品々に於いて、それらに、開閉、又は封止、又は解放、又は留める、又は（自在に）出入可能な、部分、又は部品を設置することが出来るので、それらの使用する、利用する、機能する、構成する範囲が広がる全く新しい画期的な発明なものとして為す該発明をした装備品（装飾、又は装添着品も含む）である。
【００１１】
（２）請求項２に於いては、
玉、珠（じゅず）又は形状構造を持つ部品を装備品に所持、又は構成されて成す装備品に、空間を所持する事によって、玉、珠（じゅず）又は形状構造を持つ部品、該部品を装備品に所持、又は構成されて成す装備品に、空間を所持する構造の、該空間に出入可能な部分、又は該空間所持の部品に於いて、該空間に、品品等々を入れ込む事が出来る。該填入する品々は御札、道しるし、案内、願い事、証明（氏名、住所）種々等々を種々のものに示す該認識に関与する必要に応じた品等を入れ込む事によって該効果と成す装備品。
【００１２】
（３）請求項３に於いては、
請求項１、又は請求項２の少なくても何れか１つに記載の特徴とする商品に於いて、ストレート線、螺子、突出、凹凸、溝、鉤、連結、留め型、蓋、栓、キャップ、又は封止具等々が（示す）表わす如くの種々雑多な形状、機能、構成、構造、又は作用を単数、複数に備える事によって、請求項１、２、又は請求項３の特徴の商品をより効果的に使用する、利用する、機能する、構成する事が出来て、該範囲が広がる全く新しい画期的な発明なものとして為す該発明をした装備品（装飾、又は装添着品も含む）である。
【００１３】
（４）請求項４に於いては、
請求項１、２、又は請求項３の少なくても何れか１つに記載の特徴とする商品に於いて
透明することによって必要とする入填の種々目的に於ける、該各々該機能形態構造構成（透明性）等の入填の記憶、記載、添付等々の内容が分かるので道しるし、案内、願い事、証明（氏名、住所）等種々の記しを明確にする事が出来る。それらを単数、複数に備える事によって、請求項１、２、又は請求項３の特徴の商品をより効果的に使用する、利用する、機能する、構成する事が出来て、該範囲が広がる全く新しい画期的な発明なものとして為す該発明をした装備品（装飾、又は装添着品も含む）である。
【図面の簡単な説明】
【００１４】
【図１】機構を示す正面図
【図２】機構を示す側面図
【図３】機構を示す正面図
【図４】機構を示す正面図
【発明を実施するための形態】
【００１５】
以下、本発明の実施の形態を図に基づいて説明する。
なお、各実施の形態を通じ、同一の部材、要素または、部品、部分には同一の符号を付して、其の説明を省略する場合もある。
【実施例１】
【００１６】
ほぼ玉（球）形状の形状体の部品、商品に空間を持つ該空間の部分に開閉自在の弁を設定した部品、商品に必要事項書類、物を入れる。該部品は透明性の材料にて製作商品とし、入填品が外部から見える。又他に部分に連結する連結部を持つ。
尚、該弁は、別に他の留め型、蓋、栓、キャップ、又は封止具に設定する事も出来る。
又開閉自在の弁を、封止、又は解放、又は留める、又は出入可能な部分、又は部品を設置することとする事も出来る。又該空間に、品品等々を入れ込む事が出来る、該填入する品々は御札、道しるし、案内、願い事、証明（氏名、住所）種々等々を種々のものに示す該認識に関与する必要に応じた品等を入れ込む事によって該効果と成す装備品の商品。
【実施例２】
【００１７】
形状構造を持つ部品、又は商品に空間を持ち該空間の部分に開閉自在な封止機能を設定する、部品、商品に必要事項書類、物を入出し出来る。該部品は透明性の材料にて製作商品とし為して、入填品が外部から見える商品。尚、該封止機能は、その他弁、又は解放、又は留める、又は出入可能な、機能とする部分、又は部品として設置すること、とする事も可能が出来る。該部品は単独に利用可能にして種々に添付する事が出来る範囲の拡大と成す。
【実施例３】
【００１８】
ストラップの商品の取り付糸から、ぶら下がっている部分の部品ストラップにおいて、該形状の形状体のストラップ部品、商品に空間を持ち、該空間（空室、空洞も可）の部分に開閉、取り付、設置自由自在のキャップを設定した部品、商品に必要事項書類、物を入れ出しする。該部品は透明性の材料にて製作商品とし、入填品が外部から見える。尚、該キャップは、別に他の弁、留め型、蓋、栓、キャップ、又は封止具に設定する事も出来る。又該空間に、品品等々を入れ込む事が出来る、該填入する品々は御札、道しるし、案内、願い事、証明（氏名、住所）種々等々を種々のものに示す該認識に関与する必要に応じた品等を入れ込む事によって該目的、効果と成す装備品。
【実施例４】
【００１９】
ブレスレット装飾品の装備品において、ブレスレットの玉、玉等々を連結して一体した商品である。該部品、商品に空間を持ち、該空間（空室、空洞も可）の部分に開閉、取り付、設置自由自在のキャップを設定した部品、商品に必要事項書類、物を入れ出しする。該部品は透明性の材料にて製作商品とし、入填品が外部から見える。尚、該キャップは、別に他の弁、留め型、蓋、栓、キャップ、又は封止具に設定する事も出来る。又該空間に、品品等々を入れ込む事が出来る、該填入する品々は御札、道しるし、案内、願い事、証明（氏名、住所）種々等々を種々のものに示す該認識に関与する必要に応じた品等を入れ込む事によって該目的、効果と成す装備品の商品。
【産業上の利用可能性】
【００２０】
本発明は、  装飾品、装着品、添付品を製造する産業で製作、該関連企業で販売、利用される。
【符号の説明】
【００２１】
１    玉
２    弁    
３    連結部
４    空間
５    形状構造体
６    封止機能
７    透明性材質品
８    ストラップ
９    キャップ
１０    プレスレット
【図１】
2017070495.tif 000003
【図２】
2017070495.tif 000004
【図３】
2017070495.tif 000005
【図４】
2017070495.tif 000006